(57)【要約】      （修正有）【課題】中心軸の部分が突出せず、接続部との間に形成された凹状の開口部の構造を改良し、パネルの構築／維持作業の安全性を向上させることができ、メーカーのロゴを目立つ位置に印刷することもできるパネルデバイスを提供する。【解決手段】第一取付面２１１と、第一取付面から延長されている第一接続部２３１とを有する第一位置決めパネル２１と、第二取付面２２２と、第二取付面から延長されている第二接続部２３２とを有する第二位置決めパネル２２と、を含む。第一取付面及び第二取付面のそれぞれは、複数のネットワークジャックを第一位置決めパネル及び第二取付面のそれぞれに取り付けるための取り付け穴２１Ａ、２２Ａを有する。第一接続部及び第二接続部のそれぞれは、第一取付面及び第二取付面のそれぞれに対し曲げることで、第一接続部及び第二接続部が互いに接続され、凹状部に構成される。第一位置決めパネルは、第一接続部と第二接続部を介して、第二位置決めパネルを回動可能に接続している。【選択図】図２
0003201321.tif 000002
【実用新案登録請求の範囲】
【請求項１】
第一取付面と、前記第一取付面から延長されている第一接続部とを有する第一位置決めパネルと、
第二取付面と、前記第二取付面から延長されている第二接続部とを有する第二位置決めパネルと、を含み、
前記第一取付面及び前記第二取付面のそれぞれは、複数のネットワークジャックを前記第一位置決めパネル及び前記第二取付面のそれぞれに取り付けるための取り付け穴を有し、
前記第一接続部及び前記第二接続部のそれぞれは、前記第一取付面及び前記第二取付面のそれぞれに対し曲げることで、前記第一接続部及び前記第二接続部が互いに接続され、凹状部に構成され、
前記第一位置決めパネルは、前記第一接続部と前記第二接続部を介して、前記第二位置決めパネルを回動可能に接続していることを特徴とするパネルデバイス。
【請求項２】
前記パネルデバイスは、曲げたパッチパネルであり、前記第一位置決めパネルと前記第二位置決めパネルを回動可能に接続するためのヒンジを更に有し、
前記第一接続部は、第一把持部を更に有し、
前記第二接続部は、前記第一把持部に対向して設置される第二把持部を更に有し、
前記ヒンジは、前記第一把持部と、前記第一把持部に配合する前記第二把持部と、前記第一把持部と前記第二把持部を組み合わせるシャフトを含むことを特徴とする請求項１に記載のパネルデバイス。
【請求項３】
前記凹状部を覆うカバーを更に含み、
前記カバーは、前記第一把持部と前記第二把持部に固定するフックを有することを特徴とする請求項２に記載のパネルデバイス。
【請求項４】
前記カバーは、メーカーのロゴを印刷するための表面を有し、
前記パネルデバイスは、前記カバーを除去するように、ハンドツールを置くための取り外し孔を更に有し、
前記第一位置決めパネルは、第一当接側部を有し、
前記第二位置決めパネルは、第二当接側部を有し、
前記第一当接側部及び前記第二当接側部は、互いに当接しており、
前記第一当接側部及び前記第二当接側部は、互いに当接していると、前記取り外し孔は、前記カバー、前記第一位置決めパネル及び前記第二位置決めパネルに囲まれていることを特徴とする請求項３に記載のパネルデバイス。
【請求項５】
前記第一位置決めパネルは、第一トップ板と、前記第一トップ板に対向して設置する第一ベース板とを有し、前記第一トップ板及び前記第一ベース板は、前記第一位置決めパネルの前記取り付け穴を囲み、
前記第二位置決めパネルは、第二トップ板と、前記第二トップ板に対向して設置する第二ベース板とを有し、前記第二トップ板及び前記第二ベース板は、前記第二位置決めパネルの前記取り付け穴を囲み、
前記第一当接側部は、前記第一トップ板の端及び前記第一ベース板の端に形成され、
前記第二当接側部は、前記第二トップ板の端及び前記第二ベース板の端に形成されることを特徴とする請求項４に記載のパネルデバイス。
【請求項６】
前記第一取付面は、複数の上部ソケット及び複数の下部ソケットをを取り付けるためのものであり、
前記上部ソケットは、上部クランプを有し、前記下部ソケットは、下部クランプを有し、
前記第一トップ板は、前記上部クランプに当接するための上部フランジを含み、
前記第一ベース板は、前記下部クランプに当接するための下部フランジを含むことを特徴とする請求項５に記載のパネルデバイス。
【考案の詳細な説明】
【技術分野】
【０００１】
本考案は、パッチパネルに関し、特に、中心軸を有し、その設置面が突出していないパッチパネルに関する。
【背景技術】
【０００２】
パッチパネル（Ｐａｔｃｈ  Ｐａｎｅｌ）のメンテナンス効率を高めるために、出願人は特許出願「パッチパネルデバイス及びそれを操作するための方法」（台湾特許出願番号０９９１０３２５６）を提案し、ネットワーク構築／維持効率を大きく向上させることができる。図１は、従来のパッチパネル１０を設けるキャビネット１１を示す立体構造模式図である。図１において、従来のキャビネット１１に設置されたパッチパネル１０を示す。パッチパネル１０は、第一及び第二細長いパネル１２１、１２２を有し、第一及び第二細長いパネル１２１、１２２は、第一取付面１３１及び第二取付面１３２をそれぞれ有する。第一取付面１３１及び第二取付面１３２のそれぞれは、複数の上部ソケット１４１及び複数の下部ソケット１４２を取り付けるためのものである。第一取付面１３１及び第二取付面１３２には、複数のソケット１４１、１４２が取り付けられた。第一細長いパネル１２１の第一接続部１６１及び第二細長いパネル１２２の第二接続部１６２は、中心軸を介して互いに接続され、あまりにも凸状になるため、配置担当者は、傷つきやすくなり、一歩間違えたら負傷した事故の原因になる。従って、従来のパッチパネル１０は、改善の余地がある。
【０００３】
発明者は、このような従来の課題、パッチパネルの中心軸の部分が突出しすぎることを解決するために、実験と研究を重ねた結果を通じて、パッチパネルを開発して提案する。
【考案の開示】
【考案が解決しようとする課題】
【０００４】
本発明によれば、中心軸の部分が突出しすぎることを効果的に解決するだけでなく、パネルの構築／維持作業の安全性を向上させることができる。更に、本発明によれば、従来技術の問題を解決するだけでなく、接続部との間に形成された凹状の開口部の構造を改良し、メーカーのロゴを目立つ位置に印刷することもできる。
【課題を解決するための手段】
【０００５】
従来技術に鑑み、本考案は、パネルデバイスを提出する。前記パネルデバイスは、第一取付面と、前記第一取付面から延長されている第一接続部とを有する第一位置決めパネルと、第二取付面と、前記第二取付面から延長されている第二接続部とを有する第二位置決めパネルと、を含み、前記第一取付面及び前記第二取付面のそれぞれは、複数のネットワークジャックを前記第一位置決めパネル及び前記第二取付面のそれぞれに取り付けるための取り付け穴を有し、前記第一接続部及び前記第二接続部のそれぞれは、前記第一取付面及び前記第二取付面のそれぞれに対し曲げることで、前記第一接続部及び前記第二接続部が互いに接続され、凹状部に構成され、前記第一位置決めパネルは、前記第一接続部と前記第二接続部を介して、前記第二位置決めパネルを回動可能に接続している。
【０００６】
上述の目的を達成するために、パネルデバイスを提出する。前記パネルデバイスは、第一取付面と、前記第一取付面から延長されている第一接続部とを有する第一細長いパネルと、第二取付面と、前記第二取付面から延長されている第二接続部とを有する第二細長いパネルと、を含み、前記第一取付面及び前記第二取付面のそれぞれは、複数のネットワークジャックを前記第一細長いパネル及び前記第二細長いパネルのそれぞれに取り付けるための取り付け穴を有し、前記第一接続部及び前記第二接続部のそれぞれは、前記第一取付面及び前記第二取付面のそれぞれに対し曲げることで、前記第一接続部及び前記第二接続部が互いに接続され、凹状部に構成される。
【０００７】
上述の目的を達成するために、パネルデバイスの部品を提出する。前記パネルデバイスは、細長いパネルを含み、前記細長いパネルは、第一延長平面を有する取付面と、第二延長平面を有し、前記取付面に相対する相対面と、前記第一延長平面と前記第二延長平面との間に配置され、前記取付面から延長されている接続部と、を含む。
【考案の効果】
【０００８】
本考案は、第一接続部及び第二接続部からなる凹状部により、パッチパネルの中心軸の部分が突出していなく、更に、前記凹状部を覆い、メーカーのロゴを目立つ位置に印刷するためのカバーを含む。
【図面の簡単な説明】
【０００９】
【図１】従来のパッチパネル１０を設けるキャビネット１１を示す立体構造模式図である。
【図２】本考案の好ましい実施形態に係るパネルデバイスを示す立体構造模式図である。
【図３】図２における第一位置決めパネルと第二位置決めパネルを示す分解図である。
【図４】図２におけるカバーを示す拡大の立体構造模式図である。
【図５】図２におけるパネルデバイスを組み合わせた後の立体構造模式図である。
【図６】第一位置決めパネルと第二位置決めパネルを組み合わせた後の立体構造模式図である。
【図７】図２におけるパネルデバイスの正面模式図である。
【図８】第一位置決めパネルとネットワークソケットを組み合わせる前及び第二位置決めパネルとネットワークソケットをを組み合わせた後の立体構造模式図である。
【図９】第一及び第二位置決めパネルとネットワークソケットを組み合わせた状態の立体構造模式図である。
【図１０】第一位置決めパネルと第二位置決めパネルを組み合わせた後のもう一つの立体構造模式図である。
【考案を実施するための形態】
【００１０】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１１】
図２は、本考案の好ましい実施形態に係るパネルデバイス２０を示す立体構造模式図である。パネルデバイス２０は、第一取付面２１１と、第一取付面２１１から延長されている第一接続部２３１とを有する第一位置決めパネル２１と、第二取付面２２２と、第二取付面２２２から延長されている第二接続部２３２とを有する第二位置決めパネル２２と、を含む。第一取付面２１１は、複数のネットワークジャックを第一位置決めパネル２１に取り付けるための取り付け穴２１Ａを有する。第二取付面２２２は、複数のネットワークジャックを第二取付面２２に取り付けるための取り付け穴２２Ａを有する。第一接続部２３１は、第一取付面２１１に対し曲げて第二位置決めパネル２２に向かって延長する。第二接続部２３２は、第二取付面２２２に対し曲げて第一位置決めパネル２１に向かって延長する。そうして、第一接続部２３１及び第二接続部２３２のそれぞれを曲げて伸びることで、互いに接続され、凹状部に構成されている。又、第一位置決めパネル２１は、第一接続部２３１と第二接続部２３２を介して、第二位置決めパネル２２を回動可能に接続している。
【００１２】
以下、第一位置決めパネル２１と第二位置決めパネル２２を回動可能に接続している構造を詳しく説明する。パネルデバイス２０は、曲げたパッチパネルである。パネルデバイス２０は、第一位置決めパネル２１と第二位置決めパネル２２を回動可能に接続するためのヒンジ２５を更に有する。パネルデバイス２０は、前記凹状部の開口部２７を覆うカバー２６（カバー板又はファスナーとも呼ばれる）を更に含む。カバー２６は、メーカーのロゴを印刷するための表面２８を有し、カスタマイズできる。
【００１３】
図３は、図２における第一位置決めパネル２１と第二位置決めパネル２２を示す分解図である。図３において、第一接続部２３１は、第一把持部３１を更に有し、第二接続部２３２は、第一把持部３１に対向して設置される第二把持部３２を更に有する。ヒンジ２５は、第一把持部３１と、第一把持部３１に配合する第二把持部３２と、第一把持部３１と第二把３２持部を組み合わせるシャフト３３（中心軸とも呼ばれる）を含む。図４は、図２におけるカバー２６を示す拡大の立体構造模式図である。図４において、カバー２６は、第一把持部３１及び／又は第二把持部３２に固定するフック４０を有する。図５は、図２におけるパネルデバイス２０を組み合わせた後の立体構造模式図である。図５において、パネルデバイス２０は、カバー２６を除去するように、ハンドツールを置くための取り外し孔５０を更に有する。又、第一位置決めパネル２１は、第一当接側部６４を有し、第二位置決めパネル２２は、第二当接側部２２Ｂを有し、第一当接側部２１Ｂ及び第二当接側部６５は、互いに当接している。第一当接側部６４及び第二当接側部６５は、互いに当接していると、取り外し孔５０は、カバー２６、第一位置決めパネル２１及び第二位置決めパネル２２に囲まれている。
【００１４】
図６は、第一位置決めパネル２１と第二位置決めパネル２２を組み合わせた後の立体構造模式図である。図６において、第一位置決めパネル２１は、第一トップ板６１と、第一トップ板６１に対向して設置する第一ベース板６１１とを有し、第一トップ板６１及び第一ベース板６１１は、第一位置決めパネル２１の取り付け穴２１Ａを囲んでいる。第二位置決めパネル２２は、第二トップ板６２と、第二トップ板６２に対向して設置する第二ベース板６２２とを有し、第二トップ板６２及び第二ベース板６２２は、第二位置決めパネル２２の取り付け穴２２Ｂを囲んでいる。第一当接側部６４は、第一トップ板６１の端及び第一ベース板６１１の端に形成されている。
第二当接側部６５は、第二トップ板６２の端及び第二ベース板６２２の端に形成されている。
【００１５】
図７は、図２におけるパネルデバイス２０の正面模式図である。図７において、第一トップ板６１は、上部フランジ７１を含む。第一ベース板６１１は、下部フランジ７２を含む。図８は、第一位置決めパネル２１とネットワークソケットを組み合わせる前及び第二位置決めパネル２２とネットワークソケットをを組み合わせた後の立体構造模式図である。図８において、第一取付面２１１は、複数の上部ソケット８０１及び複数の下部ソケット８０２をを取り付けるためのものである。上部ソケット８０１は、上部フランジ７１に当接するための上部クランプ８４１を有し、下部ソケット８０２は、下部フランジ７２に当接するための下部クランプ８４２を有する。
第二取付面２２２の取り付けは、第一取付面２１１と同じなことであるため、繰り返し説明する必要がない。又、図９は、パネルデバイス２０における第一及び第二位置決めパネル２１、２２とネットワークソケット８０１、８０２を組み合わせた状態の立体構造模式図である。
【００１６】
なお、本考案の好ましい実施形態に係るもう一つのパネルデバイス２０は、第一取付面２１１と、第一取付面２１１から延長されている第一接続部２３１とを有する第一細長いパネル２１と、第二取付面２２２と、第二取付面２２２から延長されている第二接続部２３２とを有する第二細長いパネル２２と、を含み、第一取付面２１１及び第二取付面２２２のそれぞれは、複数のネットワークジャックを第一位置決めパネル２１及び第二取付面のそれぞれに取り付けるための取り付け穴２１Ａ、２２Ａを有し、第一接続部２３１及び第二接続部２３２のそれぞれは、第一取付面２１１及び第二取付面２２２のそれぞれに対し曲げることで、第一接続部２３１及び第二接続部２３２が互いに接続され、凹状部に構成される。
【００１７】
更に、本考案の好ましい実施形態に係る更にもう一つのパネルデバイス２０の部品（例えば第一位置決めパネル２１又は）は、図１０に示す。図１０は、第一位置決めパネルと第二位置決めパネルを組み合わせた後のもう一つの立体構造模式図である。パネルデバイス２０の部品は、細長いパネルを含み、前記細長いパネルは、第一延長平面８１を有する取付面（例えば第一取付面２１１）と、第二延長平面８２を有し、前記取付面に相対する相対面８３１と、第一延長平面８１と第二延長平面８２との間に配置され、前記取付面から延長されている接続部（例えば第一接続部２３１）と、を含む。
【００１８】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【００１９】
実施例
１、パネルデバイスは、第一取付面と、前記第一取付面から延長されている第一接続部とを有する第一位置決めパネルと、第二取付面と、前記第二取付面から延長されている第二接続部とを有する第二位置決めパネルと、を含み、前記第一取付面及び前記第二取付面のそれぞれは、複数のネットワークジャックを前記第一位置決めパネル及び前記第二取付面のそれぞれに取り付けるための取り付け穴を有し、前記第一接続部及び前記第二接続部のそれぞれは、前記第一取付面及び前記第二取付面のそれぞれに対し曲げることで、前記第一接続部及び前記第二接続部が互いに接続され、凹状部に構成され、前記第一位置決めパネルは、前記第一接続部と前記第二接続部を介して、前記第二位置決めパネルを回動可能に接続している。
【００２０】
２、実施例１に記載のパネルデバイスにおいて、前記パネルデバイスは、曲げたパッチパネルであり、前記第一位置決めパネルと前記第二位置決めパネルを回動可能に接続するためのヒンジを更に有し、前記第一接続部は、第一把持部を更に有し、前記第二接続部は、前記第一把持部に対向して設置される第二把持部を更に有し、前記ヒンジは、前記第一把持部と、前記第一把持部に配合する前記第二把持部と、前記第一把持部と前記第二把持部を組み合わせるシャフトを含む。
【００２１】
３、実施例１〜２に記載のパネルデバイスにおいて、前記凹状部を覆うカバーを更に含み、前記カバーは、前記第一把持部と前記第二把持部に固定するフックを有する。
【００２２】
４、実施例１〜３に記載のパネルデバイスにおいて、前記カバーは、メーカーのロゴを印刷するための表面を有し、前記パネルデバイスは、前記カバーを除去するように、ハンドツールを置くための取り外し孔を更に有し、前記第一位置決めパネルは、第一当接側部を有し、前記第二位置決めパネルは、第二当接側部を有し、前記第一当接側部及び前記第二当接側部は、互いに当接しており、前記第一当接側部及び前記第二当接側部は、互いに当接していると、前記取り外し孔は、前記カバー、前記第一位置決めパネル及び前記第二位置決めパネルに囲まれている。
【００２３】
５、実施例１〜４に記載のパネルデバイスにおいて、前記第一位置決めパネルは、第一トップ板と、前記第一トップ板に対向して設置する第一ベース板とを有し、前記第一トップ板及び前記第一ベース板は、前記第一位置決めパネルの前記取り付け穴を囲み、前記第二位置決めパネルは、第二トップ板と、前記第二トップ板に対向して設置する第二ベース板とを有し、前記第二トップ板及び前記第二ベース板は、前記第二位置決めパネルの前記取り付け穴を囲み、前記第一当接側部は、前記第一トップ板の端及び前記第一ベース板の端に形成され、前記第二当接側部は、前記第二トップ板の端及び前記第二ベース板の端に形成される。
【００２４】
６、実施例１〜５に記載のパネルデバイスにおいて、前記第一取付面は、複数の上部ソケット及び複数の下部ソケットをを取り付けるためのものであり、前記上部ソケットは、上部クランプを有し、前記下部ソケットは、下部クランプを有し、前記第一トップ板は、前記上部クランプに当接するための上部フランジを含み、前記第一ベース板は、前記下部クランプに当接するための下部フランジを含む。
【００２５】
７、パネルデバイスは、第一取付面と、前記第一取付面から延長されている第一接続部とを有する第一細長いパネルと、第二取付面と、前記第二取付面から延長されている第二接続部とを有する第二細長いパネルと、を含み、前記第一取付面及び前記第二取付面のそれぞれは、複数のネットワークジャックを前記第一細長いパネル及び前記第二細長いパネルのそれぞれに取り付けるための取り付け穴を有し、前記第一接続部及び前記第二接続部のそれぞれは、前記第一取付面及び前記第二取付面のそれぞれに対し曲げることで、前記第一接続部及び前記第二接続部が互いに接続され、凹状部に構成される。
【００２６】
８、実施例７に記載のパネルデバイスにおいて、前記第一細長いパネルは、第一当接側部を有し、前記第二細長いパネルは、第二当接側部を有し、前記第一当接側部及び前記第二当接側部は、互いに当接している。
【００２７】
９、パネルデバイスの部品は、細長いパネルを含み、前記細長いパネルは、第一延長平面を有する取付面と、第二延長平面を有し、前記取付面に相対する相対面と、前記第一延長平面と前記第二延長平面との間に配置され、前記取付面から延長されている接続部と、を含む。
【００２８】
１０、実施例９に記載のパネルデバイスの部品において、前記パネルデバイスの部品は、第一又は第二細長いパネルである。
【符号の説明】
【００２９】
１０  パッチパネル
１１  キャビネット
２０  パネルデバイス
２１  第一位置決めパネル
２１Ａ、２２Ａ  取り付け穴
２２  第二位置決めパネル
２５  ヒンジ
２６  カバー
２７  開口部
２８  表面
３１  第一把持部
３２  第二把持部
４０  フック
５０  取り外し孔
６１  第一トップ板
６２  第二トップ板
６４  第一当接側部
６５  第二当接側部
８１  第一延長平面
８２  第二延長平面
１２１  第一細長いパネル
１２２  第二細長いパネル
１３１、２１１  第一取付面
１３２、２２２  第二取付面
１４１  上部ソケット
１４２  下部ソケット
１６１、２３１  第一接続部
１６２、２３２  第二接続部
６１１  第一ベース板
６２２  第二ベース板
８０１  上部ソケット
８０２  下部ソケット
８３１  相対面
８４１  上部クランプ
８４２  下部クランプ
【図１】
0003201321.tif 000003
【図２】
0003201321.tif 000004
【図３】
0003201321.tif 000005
【図４】
0003201321.tif 000006
【図５】
0003201321.tif 000007
【図６】
0003201321.tif 000008
【図７】
0003201321.tif 000009
【図８】
0003201321.tif 000010
【図９】
0003201321.tif 000011
【図１０】
0003201321.tif 000012